(57)【特許請求の範囲】
【請求項１】
壁面に取付けられて直管形の蛍光ランプが装着される器具本体と、壁面に垂直な方向において蛍光ランプを挟んで器具本体と対向して設けられる反射板と、器具本体の下面に設けられて壁面に垂直な方向において蛍光ランプの反射板側の端面よりも突出し且つ器具本体及び蛍光ランプの下方を覆うカバーとを備え、カバーと反射板との間には、蛍光ランプから放射される光を下方の空間に通すための隙間が設けられ、反射板は、蛍光ランプからの光を上方向に反射する上方反射板と、蛍光ランプからの光を下方向に反射する下方反射板とを蛍光ランプに向かう方向に突き合わせて成る反射凸部を備え、反射凸部は、鉛直方向において上方反射板と下方反射板との境界が蛍光ランプの中心より下方に位置するように設けられたことを特徴とする照明器具。
【請求項２】
前記反射板は、カバーよりも鉛直下方に突出して成り、その下端縁を折曲して壁面に向かう方向に延設して成ることを特徴とする請求項１記載の照明器具。
【請求項３】
前記反射板は、その下端縁をカバーの先端縁又は先端縁よりも壁面側に延設して成ることを特徴とする請求項２記載の照明器具。
【請求項４】
前記反射板は、蛍光ランプの両端部と対向する部位において一部が器具本体の外側に突出して成り且つ蛍光ランプからの光を器具本体外側に反射する補助反射部を備えたことを特徴とする請求項１乃至３何れか記載の照明器具。
【請求項５】
前記補助反射部は、上方向の反射光を減らして下方向の反射光を増やすもので、且つ上方向の反射光を蛍光ランプの端部に集光させることを特徴とする請求項４記載の照明器具。
【請求項６】
前記補助反射部は、上方反射板と下方反射板とを蛍光ランプに向かう方向に突き合わせて成り、下方反射板は、蛍光ランプと対向する先端縁を蛍光ランプに向かう方向に延設して形成され、上方反射板は、蛍光ランプに対して凹形状又は凸形状に形成されることを特徴とする請求項５記載の照明器具。
【発明の詳細な説明】
【技術分野】
【０００１】
本発明は、壁面に取付けられる間接照明用の照明器具に関する。
【背景技術】
【０００２】
従来、光源を遮光して直接光を避け、天井や壁などに反射させて間接光とする間接照明用の照明器具として、特許文献１に開示されているようなものがある。このような間接照明用の照明器具として、例えば図７に示すように、壁面に取付けられて直管形の蛍光ランプ１０が装着される細長い箱体に形成された器具本体２０と、壁面に垂直な方向において蛍光ランプ１０を挟んで器具本体２０と対向して設けられる反射板３０とを備えた照明器具がある。このように構成することで、蛍光ランプ１０からの光を反射板３０によって上方向及び下方向に反射して蛍光ランプ１０からの光が直接目に入らないようにし、且つ反射光によって壁面を照らすことで柔らかい光を演出することができる。
【特許文献１】特開２００５−２２８６５４号公報
【発明の開示】
【発明が解決しようとする課題】
【０００３】
しかしながら、従来例の照明器具では、上方への反射光の光量と下方への反射光の光量とが同じとなり、照明器具が照らす空間全体の明るさ感が得られないという問題があった。また、複数の蛍光ランプ１０を蛍光ランプ１０の軸方向に連結した場合に、蛍光ランプ１０の連結部分と対向する壁面において光のムラができるという問題があった。
【０００４】
本発明は、上記の点に鑑みて為されたもので、壁面を光のムラなく照らすことができ且つ空間全体の明るさ感を得ることのできる照明器具を提供することを目的とする。
【課題を解決するための手段】
【０００５】
請求項１の発明は、上記目的を達成するために、壁面に取付けられて直管形の蛍光ランプが装着される器具本体と、壁面に垂直な方向において蛍光ランプを挟んで器具本体と対向して設けられる反射板と、器具本体の下面に設けられて壁面に垂直な方向において蛍光ランプの反射板側の端面よりも突出し且つ器具本体及び蛍光ランプの下方を覆うカバーとを備え、カバーと反射板との間には、蛍光ランプから放射される光を下方の空間に通すための隙間が設けられ、反射板は、蛍光ランプからの光を上方向に反射する上方反射板と、蛍光ランプからの光を下方向に反射する下方反射板とを蛍光ランプに向かう方向に突き合わせて成る反射凸部を備え、反射凸部は、鉛直方向において上方反射板と下方反射板との境界が蛍光ランプの中心より下方に位置するように設けられたことを特徴とする。
【０００６】
請求項２の発明は、請求項１の発明において、反射板は、カバーよりも鉛直下方に突出して成り、その下端縁を折曲して壁面に向かう方向に延設して成ることを特徴とする。
【０００７】
請求項３の発明は、請求項２の発明において、反射板は、その下端縁をカバーの先端縁又は先端縁よりも壁面側に延設して成ることを特徴とする。
【０００８】
請求項４の発明は、請求項１乃至３何れかの発明において、反射板は、蛍光ランプの両端部と対向する部位において一部が器具本体の外側に突出して成り且つ蛍光ランプからの光を器具本体外側に反射する補助反射部を備えたことを特徴とする。
【０００９】
請求項５の発明は、請求項４の発明において、補助反射部は、上方向の反射光を減らして下方向の反射光を増やすもので、且つ上方向の反射光を蛍光ランプの端部に集光させることを特徴とする。
【００１０】
請求項６の発明は、請求項５の発明において、補助反射部は、上方反射板と下方反射板とを蛍光ランプに向かう方向に突き合わせて成り、下方反射板は、蛍光ランプと対向する先端縁を蛍光ランプに向かう方向に延設して形成され、上方反射板は、蛍光ランプに対して凹形状又は凸形状に形成されることを特徴とする。
【発明の効果】
【００１１】
請求項１の発明によれば、器具本体の下面に設けられて壁面に垂直な方向において蛍光ランプの反射板側の端面よりも突出し且つ器具本体及び蛍光ランプの下方を覆うカバーを備えたので、カバーによって蛍光ランプからの直接光が壁面下方に照射されないため、器具本体下方において光のムラによる筋の発生を防ぐことができる。また、反射板は、蛍光ランプからの光を上方向に反射する上方反射板と、蛍光ランプからの光を下方向に反射する下方反射板とを蛍光ランプに向かう方向に突き合わせて成る反射凸部を備え、反射凸部は、鉛直方向において上方反射板と下方反射板との境界が蛍光ランプの中心より下方に位置するように設けられたので、蛍光ランプからの光を上方に多く反射させることができ、したがって空間全体の明るさ感を増すことができる。
【００１２】
請求項２の発明によれば、反射板は、カバーよりも鉛直下方に突出して成り、その下端縁を折曲して壁面に向かう方向に延設して成るので、照明器具を上下方向に関してより薄型にすることができる。また、延設された反射板内面に照射された光の反射光をカバー下面で反射させることができるので、カバー及び器具本体下方の壁面を柔らかく照らすことができ、反射板が壁面から浮いたような照明器具を演出することができる。
【００１３】
請求項３の発明によれば、反射板は、その下端縁をカバーの先端縁又は先端縁よりも壁面側に延設して成るので、延設された反射板内面に照射された光が反射することによってカバー下面全体を照らすことができるので、請求項２の発明の効果が増大する。
【００１４】
請求項４の発明によれば、反射板は、蛍光ランプの両端部と対向する部位において一部が器具本体の外側に突出して成り且つ蛍光ランプからの光を器具本体外側に反射する補助反射部を備えたので、複数の照明器具を連設する場合に、器具本体外側への反射光によって蛍光ランプの端部に対向する壁面を照らすことができ、したがって光のムラを低減することができる。
【００１５】
請求項５、６の発明によれば、補助反射部は、上方反射板と下方反射板とを蛍光ランプに向かう方向に突き合わせて成り、下方反射板は、蛍光ランプと対向する先端縁を蛍光ランプに向かう方向に延設して形成されるので、複数の照明器具を連設する場合に、蛍光ランプの端部からの少ない光をより多く反射して壁面に照射することができ、したがって光のムラを低減することができる。また、上方反射板は、蛍光ランプに対して凹形状又は凸形状に形成されるので、蛍光ランプの端部に対向する壁面の上方に反射光を集光することができ、したがって光のムラを低減することができる。
【発明を実施するための最良の形態】
【００１６】
（実施形態１）
以下、本発明の第一の実施形態について図１を用いて説明する。本実施形態の照明器具は、図１に示すように、壁面に取付けられて直管形の蛍光ランプ１が装着される器具本体２と、壁面に垂直な方向において蛍光ランプ１を挟んで器具本体２と対向して設けられる反射板３と、器具本体２の下面に設けられて壁面に垂直な方向において蛍光ランプ１の反射板３側の端面よりも突出し且つ器具本体２及び蛍光ランプ１の下方を覆うカバー５とを備えたもので、反射板３は、蛍光ランプ１からの光を上方向に反射する上方反射板４ａと、蛍光ランプ１からの光を下方向に反射する下方反射板４ｂとを蛍光ランプ１に向かう方向に突き合わせて成る反射凸部４を備え、反射凸部４は、鉛直方向において上方反射板４ａと下方反射板４ｂとの境界が蛍光ランプ１の中心より下方に位置するように設けられている（図１（ａ）参照）。
【００１７】
器具本体２は、長手方向の長さが蛍光ランプ１の長手方向の長さと略一致するような箱体に形成され、前面には、蛍光ランプ１の長手方向の両端の口金が着脱自在に接続される一対のソケット２ａが設けられている。器具本体２の内部には、図示していないがソケット２ａを介して蛍光ランプ１を点灯するための安定器が備えられており、該安定器から器具本体２外側に引き出される電源線（図示せず）が外部電源（図示せず）に接続されることで、安定器に電源が供給されて蛍光ランプ１を点灯する。
【００１８】
器具本体２の下面には、平板形状のカバー５が取付けられている。カバー５は、アルミニウム等の光を反射する金属板から成り、長手方向においては蛍光ランプ１の長手方向の長さと略一致する長さを持ち、壁面に垂直な方向においては蛍光ランプ１の反射板３側の端面よりも突出する幅を持つように形成されている。カバー５には、金属板を略Ｌ字状に形成した２つのカバー取付片５ａが一体に形成され、該カバー取付片５ａを器具本体２にネジ止め（図示せず）することで固定される（図１（ｂ）参照）。
【００１９】
反射板３は、アルミニウム等の光を反射する平板形状の金属板で、長手方向においては蛍光ランプ１の長手方向の長さと略一致する長さを持ち、鉛直方向においては器具本体２よりも幅広に形成され、下端縁がカバー５の下面よりも突出するように配置される。反射板３には、金属板を折曲して形成した反射板取付片３ａが長手方向において２ヶ所に形成されており、該反射板取付片３ａを器具本体２にネジ止め（図示せず）することで、蛍光ランプ１の発光面と対向して蛍光ランプ１の前側に蛍光ランプ１と一定の間隔を空けて器具本体２に取付けられる（図１（ｂ）参照）。
【００２０】
反射凸部４は、アルミニウム等の光を反射する金属板を折曲して平面視略Ｖ字形状に形成され、反射板３から蛍光ランプ１に向かって斜め下方に傾斜した上方反射板４ａと、反射板３から蛍光ランプ１に向かって斜め上方に傾斜した下方反射板４ｂとから成る。反射凸部４は、反射板３の背面に取付けられる。
【００２１】
上述のように、器具本体２及び蛍光ランプ１の下面を覆うカバー５を器具本体２に備えたので、カバー５によって蛍光ランプ１からの直接光を遮ることができ、したがって器具本体２の下方における壁面に光のムラが生じるのを防ぐことができる。また、最近の研究では、上方への光と下方への光の光量の比を適切にすることで空間全体の明るさ感を増す理論が確立されつつあり、これを実現する照明器具の提供が望まれていたが、本実施形態では、上方反射板４ａと下方反射板４ｂとの境界を鉛直方向において蛍光ランプ１の中心よりも下方に位置するよう配置したので、蛍光ランプ１からの光が上方反射板４ａにおいて多く反射し、したがって器具本体２の上方及び下方における壁面を適切な光量でそれぞれ照らすことができ、空間全体の明るさ感を増すことができる。
【００２２】
（実施形態２）
以下、本発明の第二の実施形態について図２を用いて説明する。但し、基本的な構成は実施形態１と共通であるので、共通する部分には同一の符号を付して説明は省略する。本実施形態の照明器具は、図２（ａ）に示すように、反射板３の下端縁を折曲して壁面に向かう方向に延設させている。
【００２３】
反射板３は、下端縁を折曲して略Ｌ字形状に形成され、壁面に向かう方向に延設した延設面３ｂは、その先端縁がカバー５の反射板３側の先端縁まで延設されている。尚、反射凸部４は実施形態１と同様に反射板３の背面に取付けられるが、具体的には、図２（ｃ）に示すように、反射凸部４の周縁を反射板３に設けられた略コ字状の溝３ｃに嵌合することで取付けられる。
【００２４】
上述のように構成することで、上下方向において照明器具をより薄型にすることができる。また、蛍光ランプ１からの光が下方反射板４ｂ及び延設面３ｂにおいて反射し、カバー５の下面に照射されるので、カバー５の下面及びカバー５の下面で反射した光によって器具本体２の下方における壁面も間接光によって柔らかく照らすことができ、したがって反射板３が壁面から浮いているように見える照明器具を演出することができる。
【００２５】
（実施形態３）
以下、本発明の第三の実施形態について図３〜５を用いて説明する。但し、基本的な構成は実施形態１と共通であるので、共通する部分には同一の符号を付して説明は省略する。本実施形態の照明器具は、反射板３の蛍光ランプ１の両端部と対向する部位において、一部が器具本体２の外側に突出して成り且つ蛍光ランプ１からの光を器具本体２外側に反射する補助反射部６を備えているもので、例えば通路等で複数の照明器具の端部同士を突き合わせて連設する場合に用いられる（図３参照）。
【００２６】
補助反射部６は、反射板３から蛍光ランプ１に向かって斜め下方に傾斜した上方反射板６ａと、反射板３から蛍光ランプ１に向かって斜め上方に傾斜した下方反射板６ｂとから成り、下方反射板６ｂの壁面側の先端縁が上方反射板６ａの壁面側の先端縁よりも突出するように突き合わせて形成される（図４参照）。上方反射板６ａは、長手方向における両端縁をそれぞれ内側に折曲して成る（図５参照）。該補助反射部６は、図３に示すように、複数の照明器具を連設する場合に、隣り合う照明器具の反射板３の継ぎ目における反射凸部４の代わりに設けられ、隣り合う照明器具で共用される。
【００２７】
上述のように、反射板３の蛍光ランプ１の両端部と対向する部位において補助反射部６を備えることで、複数の照明器具を連設する場合に、蛍光ランプ１の端部と対向する壁面を照らすことができ、したがって光のムラを低減することができる。また、下方反射板６ｂの壁面側の先端縁が上方反射板６ａの壁面側の先端縁よりも突出するようにしたので、蛍光ランプ１の端部からの少ない光をより多く反射して壁面に照射することができ、したがって光のムラを低減することができる。さらに、上方反射板６ｂの長手方向における両端縁を蛍光ランプ１の端部に向けて折曲しているので、蛍光ランプ１の端部と対向する壁面の上方に蛍光ランプ１の反射光を集光させることができ、したがって光のムラを低減することができる。
【００２８】
ところで、上方反射板６ａの形状は上記の形状に限定されるものではなく、蛍光ランプ１の端部と対向する壁面の上方に集光させることができればよいので、例えば図６に示すような椀形状に形成されても構わない。
【図面の簡単な説明】
【００２９】
【図１】本発明の第一の実施形態の照明器具を示す図で、（ａ）は断面図で、（ｂ）は全体斜視図である。
【図２】本発明の第二の実施形態の照明器具を示す図で、（ａ）は断面図で、（ｂ）は全体斜視図で、（ｃ）は各部の取付けを示す図である。
【図３】本発明の第三の実施形態の照明器具の全体斜視図である。
【図４】同上の断面図である。
【図５】同上の補助反射板の形状を示す図である。
【図６】同上の補助反射板の他の形状を示す図である。
【図７】従来の照明器具を示す図で、（ａ）は断面図で、（ｂ）は全体斜視図である。
【符号の説明】
【００３０】
１  蛍光ランプ
２  器具本体
３  反射板
４  反射凸部
４ａ  上方反射板
４ｂ  下方反射板
５  カバー
６  補助反射部
６ａ  上方反射板
６ｂ  下方反射板
【図１】
0004687405.tif 000002
【図２】
0004687405.tif 000003
【図３】
0004687405.tif 000004
【図４】
0004687405.tif 000005
【図５】
0004687405.tif 000006
【図６】
0004687405.tif 000007
【図７】
0004687405.tif 000008